(57)【要約】      （修正有）【課題】広告効果を高めるため、輪ゴムまたは紐を装着し、他の物体と係止することを可能としたポケットティッシュを提供する。【解決手段】輪ゴムまたは紐を装着し、他の物体と係止するために当該輪ゴムまたは紐を装着するための穴として使用可能な穴を開けるためのミシン目４をティッシュペーパーを取り出すミシン目がある反対側の面に平行に２本設けた。【選択図】図１
0003214986.tif 000002
【実用新案登録請求の範囲】
【請求項１】
輪ゴムまたは紐を装着し、他の物体と係止するために当該輪ゴムまたは紐を装着するための穴として使用可能な穴を開けることを目的とするためのミシン目をポケットティッシュのティッシュペーパーを取り出すミシン目がある反対の面に平行に設けたポケットティッシュ。
【請求項２】
輪ゴムまたは紐を装着し、他の物体と係止するために当該輪ゴムまたは紐を装着するための穴として使用可能な穴を開けることを目的とするためのミシン目をポケットティッシュのティッシュペーパーを取り出すミシン目がある反対側の面のポケットティッシュの包装材の開口部付近に設けたポケットティッシュ。
【請求項３】
請求項１、請求項２に記載したポケットティッシュであって、ポケットティッシュのティッシュペーパーを取り出すミシン目がある反対側の面にミシン目を平行に設け、かつポケットティッシュの包装材の開口部付近にもミシン目を設けたポケットティッシュ。
【考案の詳細な説明】
【技術分野】
【０００１】  本考案は、ティッシュペーパーをプラスチック類等のフィルム状物を利用した包装材で包んだ、一般にポケットティッシュ等と呼ばれているものに関するものである。
【背景技術】
【０００２】  従来、ポケットティッシュは広告用として街頭で配布されており、その広告効果を高めるため、プラスチック類等のフィルム状の素材を使用して、２つ折りで向かいあった２箇所の袋状のティッシュペーパー収容スペース及び４面によって形成され四面のそれぞれに広告宣伝の印刷等をできるようにしたものが考案されていた。
【先行技術文献】
【特許文献】
【０００３】
【特許文献１】登録実用新案公報（Ｕ）  実登３０９７６３３
【非特許文献】
【考案の概要】
【考案が解決しようとする課題】
【０００４】  ところが特許文献１に記載の広告宣伝スペースを設けたポケットティッシュである場合広告宣伝スペースの大きさが当該ポケットティッシュの大きさにより制限されることとなる。
【課題を解決するための手段】
【０００５】  本考案は、上述の広告宣伝効果を高めることを目的とするポケットティッシュに、輪ゴムまたは紐を用いて広告を目的とする他の物体に係止し、広告宣伝物の大きさの制限をなくすことを可能とするため、当該輪ゴムまたは紐を通す穴として使用可能な当該穴を開けるためのミシン目を当該ポケットティッシュに設けたものである。
【考案の効果】
【０００６】  上述のように、広告宣伝効果を高めることを目的としてのポケットティッシュに当該輪ゴムまたは紐を通し、装着するための穴として使用可能なミシン目を入れることにより、当該ミシン目を破り、輪ゴムまたは紐を装着し他の物体と係止することを可能とすることにより、他の物体たる広告物の制限をなくすことができる。
【図面の簡単な説明】
【０００７】
【図１】本考案を実施するために必要なミシン目を入れたポケットティッシュの平面図である。
【図２】本考案を実施するために、図１のミシン目を破り、輪ゴムを装着した平面図である。
【図３】本考案を実施するために図１のポケットティッシュの開口部付近に設けたミシン目を破り、紐を通し、当該紐の両端を結んだ状態の平面図である。
【符号の説明】
【０００８】    １  ポケットティッシュ
２  ポケットティッシュの包装材の開口部
３  輪ゴムまたは紐を装着する穴を開けるための開口部付近のミシン目
４  輪ゴムまたは紐を装着する穴を開けるための平行に設けたミシン目
５  装着された輪ゴム
６  装着された輪ゴムとポケットティッシュにより形成される空間の１方
７  装着された輪ゴムとポケットティッシュにより形成される空間の１方
８  装着された紐
９  装着された紐とポケットティッシュにより形成される空間
【考案を実施するための形態】
【０００９】  上述の広告宣伝効果を高めるためのポケットティッシュに輪ゴムまたは紐を装着するための穴として使用可能なミシン目を入れ、当該ミシン目を破ることにより、輪ゴムまたは紐を装着するための穴を開けることが可能なものとする。
【００１０】  上述のミシン目は、ポケットティッシュのティッシュペーパーを取り出すためのミシン目がない面の、当該ポケットティッシュの包装材の開口部付近に設けるとともに、ポケットティッシュのティッシュペーパーを取り出すためのミシン目が内面の中央部に平行に設けるものとする。
【実施例】
【００１１】  以下本考案にかかる広告効果を高めるため、輪ゴムまたは紐を装着し、当該輪ゴムまたは紐を装着するための穴として使用可能なミシン目を入れたポケットティッシュの好ましい実施形態を図面に基づいて説明する。【００１２】  図１に示すように、上述のポケットティッシュには、上述の輪ゴムまたは紐を装着する穴を開けることを目的とするミシン目は、当該ポケットティッシュのティッシュペーパーを取り出すためのミシン目がある面の反対側の面に設けることが望ましい。これによりティッシュペーパーを取り出すためのミシン目との錯誤を防止することができる。【００１３】  また、図１の符号４に示す輪ゴムまたは紐を装着することを目的とする穴を開けるためのミシン目は、平行に開けることが望ましい。これにより図２の符号６及び符号７に示す空間を形成できる。【００１４】  上述のように図２の符号６及び符号７の両方の空間に同一の物体を同時に貫通させることにより、他の物体との係止が可能となる。【００１５】  また、上述の輪ゴムまたは紐を装着するための穴を開けることを目的とするミシン目の長さは、輪ゴムまたは紐を通すための最小限の長さとすることが望ましい。これにより当該輪ゴムまたは紐を装着するためのミシン目を破る作業の際に当該ポケットティッシュの包装材の破損を防止することができる。【００１６】  また、図１の符号３に示すミシン目は、図１の符号２に示すポケットティッシュの包装材の開口部付近に設けることが望ましい。これにより輪ゴムまたは紐を装着する際に図３の符号９に示す空間を大きくすることができる。【００１７】  上述のように、本考案は、平行に設けたミシン目を破ることにより当該ポケットティッシュを他の物体に係止することのほか、開口部付近に設けたミシン目を破ることによる他の物体との係止も可能であり、かつ、ミシン目を破らずにポケットティッシュとしての利用も可能であるという特徴を有している。
【産業上の利用可能性】
【００１８】  ポケットティッシュに輪ゴムまたは紐を装着し、当該輪ゴムまたは紐により当該ポケットティシュを他の物体に係止可能とする。
【図１】
0003214986.tif 000003
【図２】
0003214986.tif 000004
【図３】
0003214986.tif 000005
【手続補正書】
【提出日】平成29年11月28日(2017.11.28)
【手続補正１】
【補正対象書類名】実用新案登録請求の範囲
【補正対象項目名】全文
【補正方法】変更
【補正の内容】
【実用新案登録請求の範囲】
【請求項１】
輪ゴムまたは紐を装着し、他の物体と係止するために当該輪ゴムまたは紐を装着するための穴として使用可能な穴を開けることを目的とするためのミシン目をティッシュペーパーを取り出すミシン目がある反対側の面に平行に２本設けたポケットティッシュ。
【請求項２】
輪ゴムまたは紐を装着し、他の物体と係止するために当該輪ゴムまたは紐を装着するための穴として使用可能な穴を開けることを目的とするためのミシン目をポケットティッシュのティッシュペーパーを取り出すミシン目がある反対側の面のポケットティッシュの包装材の開口部付近に設けたポケットティッシュ。
【請求項３】
輪ゴムまたは紐を装着し、他の物体と係止するために当該輪ゴムまたは紐を装着するための穴として使用可能な穴を開けることを目的とするためのミシン目をティッシュペーパーを取り出すミシン目がある反対の面に平行に２本設け、かつポケットティッシュの包装材の開口部付近にもミシン目を設けたポケットティッシュ。